Podtech/llm-jp-corpus-v4-ja_patent huggingface dataset:
(57)【要約】      （修正有）【課題】腐食の心配なく、強度を長期に渡り維持できる他、現場でのカットが容易になり、外観を美しく仕上げることが可能となる巾木を提供する。【解決手段】ベース材１とカバー材３を構成要素として含む巾木であって、ベース材１には合成樹脂発泡体を用いる。合成樹脂発泡体はポリスチレン発泡体が挙げられる。【選択図】図１
0003205453.tif 000002
【実用新案登録請求の範囲】
【請求項１】
ベース材１とカバー材３を構成要素として含む巾木７であって、前記ベース材１は合成樹脂発泡体からなることを特徴とする巾木。
【請求項２】
前記合成樹脂発泡体はポリスチレン発泡体であることを特徴とする請求項１記載の巾木。
【考案の詳細な説明】
【技術分野】
【０００１】
本考案は巾木に関する。
【背景技術】
【０００２】
従来、床面と壁面やトイレブースのパネルの境界に取り付け、隙間を防ぐ巾木がある。この巾木はベース材とカバー材などから構成され、ベース材にはステンレス、アルミニウム等の金属性の材料が用いられている。
【先行技術文献】
【特許文献】
【０００３】
【特許文献１】実開平３−５４４５３号公報
【特許文献２】特開２００５−２８２２００号公報
【特許文献２】実開平７−３８３２５号公報
【考案の開示】
【考案が解決しようとする課題】
【０００４】
しかしながら、ベース材がステンレス鋼製であると、所望の寸法に切断するのが施工現場では厄介であり、変色し、美観を損ねる場合がある。また、アルミニウム製である場合は腐食のために強度が劣化することもある。また金属製のベース材はコノ字型の形状である場合が多く、そのエンド部分に外観を向上させるためにふたをつけるなど対処が必要になっていた。
【課題を解決するための手段】
【０００５】
ベース材を中実なる連続する合成樹脂発泡体とすることにより前記課題を解決することができる。
【考案の効果】
【０００６】
ベース材を中実なる合成樹脂製にすることで、腐食の心配なく、強度を長期に渡り維持できる他、現場でのカットが容易になり、外観を美しく仕上げることが可能となる。中実であることで、カット面にふたをする必要もない。
【図面の簡単な説明】
【０００７】
【図１】巾木の斜視図。
【図２】図１の要部透視断面図。
【図３】巾木の分解斜視図。
【考案を実施するための最良の形態】
【０００８】
図１は本考案の巾木７を取り付けたパネルの斜視図であり、ベース材１にビスが打設され、カバー材３が取り付けられている。ビスの打ちこむ深さを変えることで高さ調整ができる。
【０００９】
ベース材は合成樹脂を押し出し発泡成形した合成樹脂発泡体からなり、独立気泡発泡体より連続気泡発泡体の方は耐衝撃性に優れることから好ましい。合成樹脂としてはポリエチレン樹脂発泡体、ポリプロピレン樹脂体、ポリスチレン樹脂発泡体などが使用でき、本考案ではポリスチレン発泡体を用いている。
【００１０】
合成樹脂発泡体は、発泡倍率が大きいほど、軽量となるが、強度的に弱くなるため発泡倍率２〜５０倍程度であれば良い。本考案で用いているポリスチレン発泡体の発泡倍率は５倍である。
【００１１】
カバー材には厚み０．８ｍｍのステンレス鋼板を用いており、ベース材に被さるようにコの字形に加工してあり、下面開口である。
【００１２】
構造的には図に示されるように合成樹脂発泡体からなるベース材１にビスが打設され、下面開口のステンレス鋼板からなるカバー材が被嵌され、ビス２の頭部で支承されている。
【符号の説明】
【００１３】
１  ベース材
２  ビス
３  カバー材
７  巾木
【図１】
0003205453.tif 000003
【図２】
0003205453.tif 000004
【図３】
0003205453.tif 000005
(57)【要約】      （修正有）【課題】一般住宅やマンション等集合住宅のベランダにおいて、外部から覗き見されないように、随時、簡単な操作により目隠しができるとともに、春夏秋冬等気候や気分に応じて目隠しに用いたフイルム等の色や模様を変化させることを可能にするベランダ等の目隠し装置を提供する。【解決手段】横に自由に引き出し広げることが可能な、半透明、不透明、又は網目状の、色付けや、花・景色などを描いたフイルムをゼンマイ等で自動的に巻き取る機構を備えた装置を一つのユニットとし、このユニットを単独又は複数個基盤に取り付けた装置をベランダの手摺り等に設置する。【選択図】図２
0003205454.tif 000002
【実用新案登録請求の範囲】
【請求項１】
横に自由に引き出し広げることが可能なフイルムをゼンマイ等で自動的に巻き取る機構を備えた装置を一つのユニットとし、このユニットを、複数個基盤に取り付けた、ベランダ等の目隠し装置
【考案の詳細な説明】
【技術分野】
【０００１】
本考案は、住宅のベランダ等において、外部からの覗き等を防ぐことを、必要に応じて可能とすることが出来る装置に関するものである。
【背景技術】
【０００２】
従来、一般住宅やマンション等集合住宅のベランダの目隠しとして、すだれやみすを応急的に使用するか、又は、板やコンクリートで永久的に封鎖することが行われてきた。すだれやみすは強風に弱く、時には邪魔になる。板やコンクリートは見通しを永久的に妨げる。
【０００３】
このことを解消するために、短冊状の板を立てた状態として横に並べ、この短冊状の板を歯車やベルトを使用していっせいに、かつ水平に回転させる装置が既に考案されている。（先行技術文献）
【先行技術文献】
【特許文献】
【０００４】
【特許文献１】特開平８−２１０５７
【非特許文献】
【０００５】
【非特許文献１】実用新案登録第３０８５６２９号
【０００６】
【非特許文献２】実用新案登録第３０９３９９７号
【考案の概要】
【考案が解決しようとする課題】
【０００７】
しかしながら、先行技術はいずれも、目隠しのみの効果しかなく、変わり映えがせず、殺風景である。又、ベランダ等の幅に応じて大きさを自由に調節することが困難であるとともに構造が比較的複雑であり、取り付けにもかなりの作業を必要とする欠点がある。
【課題を解決するための手段】
【０００８】
横に自由に引き出し広げることが可能なフイルムをゼンマイ等で自動的に巻き取る機構を備えた装置を一つのユニットとし、このユニットを、複数個基盤に取り付けた装置をベランダの手摺り等に設置する。
【考案の効果】
【０００９】
本考案においては、複数枚のフイルムを任意に使用することができるため、半透明、不透明、又は網目状のフイルムを使い分け、又、それらのフイルムに色付けや、花・景色などを描くことで、春夏秋冬等気候や気分に応じた使い分けが可能である。
【００１０】
フイルムに文字や絵などを描き、子育てなどに役立てることも可能である。
【００１１】
透明や半透明のフイルムを用いることで、絵や文字などを重ねて鑑賞することも可能である。
【００１２】
ユニット化することでフイルムの交換が容易となり、多くのフイルムを用意しながら、様々な対応が可能である。
【００１３】
ベランダの既設の手摺等に、ネジ、接着剤、又は粘着テープ等を使用して、素人でも簡単に取り付けることが可能である。
【００１４】
使用するときは、フイルムの取っ手を引き出し、手摺りのフックに引っ掛けるだけと、操作が簡単である。
【図面の簡単な説明】
【００１５】
【図１】図１は、ユニットをそれぞれ独立した筒の中に収納し、これを立てた状態で横に５個並べて使用した場合の装置本体の見取り図である。
【図２】図２は、図１の装置をベランダの手摺りに取り付け、フイルムの一つを引き出し、使用した場合の概念図である。
【考案を実施するための形態】
【００１６】
横に自由に引き出し広げることが可能なフイルムをゼンマイ等で自動的に巻き取る機構を備えた装置を一つのユニットとし、このユニットを複数個基盤に取り付けた装置。
【実施例１】
【００１７】
図２は、ユニットをそれぞれ独立した筒の中に収納し、このユニットを立てた状態で横に５本並べて使用した場合の装置をベランダの手摺りに取り付け、フイルムの一つを引き出し、使用した場合の概念図である。
【符号の説明】
【００１８】
１    ユニット
２    フイルム
３    フイルムの取っ手兼掛金具
４    フイルム補強部材
５    フイルム引き出し口
６    基盤
７    ベランダ手摺りに取り付けたフック
８    ベランダ手摺り
【図１】
0003205454.tif 000003
【図２】
0003205454.tif 000004
(57)【要約】      （修正有）【課題】付着して汚れたマスカラを容易に拭き取り、清潔に保つことができるまつげカーラーを提供する。【解決手段】まつげカーラーのまつげをはさむ部位Ａ、Ｂをシリコン樹脂で構成する。【選択図】図１
0003205238.tif 000002
【実用新案登録請求の範囲】
【請求項１】
まつげをはさむ部位をシリコン樹脂で構成したまつげカーラー。
【考案の詳細な説明】
【技術分野】
【０００１】本考案はまつげをカールするまつげカーラーに関するものである。
【背景技術】
【０００２】従来のまつげカーラーのまつげをはさむ部位は金属、合成ゴムで構成されている。
【考案の開示】
【考案が解決しようとする課題】
【０００３】従来のまつげカーラーでマスカラのついたまつげを挟む際  マスカラがまつげカーラーに付着する。付着したマスカラはまつげを挟む部位に付着し取るのがむずかしい。。
【課題を解決するための手段】
【０００４】本考案の挟む部位をリコン樹脂で構成したまつげカーラーを提供する。
【考案の効果】
【０００５】マスカラが付着してもシリコン樹脂の場合拭くだけで容易にとる事ができる。
【実施例】
【０００６】［図１］が本考案のまつげカーラーで  まつげを挟む部位Ａと部位Ｂがシリコン樹脂で構成されている。
【産業上の利用可能性】
【０００７】本考案のまつげカーラーはマスカラが容易にとれ。まつげカーラーを清潔に保つことができる。
【図面の簡単な説明】
【０００８】
【図１】本考案のまつげカーラー
【図１】
0003205238.tif 000003
(57)【要約】      （修正有）【課題】マンホール昇降時に対するマンホール仮設転落防止柵を提供する。【解決手段】複数の枠体１に、それを連結する回転金具Ａ（２）及び回転金具Ｂ（３）を設ける。又、立入防止チェーン５を取付ける。これを防止柵位置決め金具にセットする。【選択図】図１
0003205231.tif 000002
【実用新案登録請求の範囲】
【請求項１】
複数の枠体（１）に、それを連結する複数の回転金具を設け、立入防止チェーン（５）を取付け、それを、防止柵位置決め金具（６）にセットする構造をした特徴のマンホール仮設転落防止柵。
【考案の詳細な説明】
【技術分野】
【０００１】  この考案は、下水道施設や電気埋設管の地下道の内部点検時において、マンホールより作業者の転落を防ぐ器具に関するものである。
【背景技術】
【０００２】  従来は、マンホールに作業者が入る時は、地面に両手を付いて身体を支え、マンホール内のステップに足を掛けて昇降していた。
【考案の概要】
【考案が解決しようとする課題】
【０００３】  ここに、次のような問題点を掲げる。
（イ）マンホール昇降時の不便（道路上に取っ手が無い為、最初の人手、最後の人手が        欲しい）
（ロ）安全帯を掛ける位置がマンホール内部になる為に危険（硫化水素等発生個所では        安全帯を掛ける作業時に吸引し、転落する恐れがある）
（ハ）一般通行者や車への注意喚起がしづらい
（ニ）監督者が道路上から覗き込む状態の為、転落の危険がある
【考案を解決する為の手段】
【０００４】  複数の枠体（１）に、それを連結する複数の回転金具を設ける。又、立入防止チェーン（５）を取付ける。
これを、防止柵位置決め金具（６）にセットする構造をした特徴のマンホール仮設転落防止柵である。
【考案の効果】
【０００５】  次の効果がある。一番の効果は▲１▼折畳式の為に設置、撤去及び持運びが容易である。以下▲２▼昇降につかまるところがあり安心感がある。▲３▼一般通行者や車への注意喚起がし易い（安全掲示が取付けられる）。▲４▼作業エリアが閉鎖状態になるので他者が転落する恐れがなくなる。
【図面の簡単な説明】
【０００６】
【図１】  本考案の斜視図
【図２】  回転金具Ａの取付斜視図
【図３】  回転金具Ｂの取付斜視図
【図４】  防止柵位置決め金具斜視図
【考案を実施する為の形態】
【０００７】  本考案の実施形態について説明する。
（イ）格子状をした三つの枠体（１）に、各枠体を連結する蝶番型の回転金具Ａ（２）        及び回転金具Ｂ（３）を設ける。
（ロ）格子状の枠体（１）に立入防止チェーン（５）を２カ所取付ける。
（ハ）三連結の格子状の枠体（１）を、防止柵位置決め金具（６）にセットする。
本考案は、上述の様な構造であるが、これの使用方法は、防止柵位置決め金具（６）を現場のマンホールにセットし、これに三連結した格子状枠体（１）をセット（枠体（１）の７本の足部（４）を防止柵位置決め金具（６）の接続棒（７）に嵌め込む）し、コの字型形状に設置する。
そして、作業者は格子状枠体（１）につかまり、現場のマンホールの中に安全に降りていく。又、２カ所の立入防止チェーン（５）を掛ける。
作業終了後マンホール仮設転落防止柵は、防止柵位置決め金具（６）から抜いて三連結の枠体（１）を回転金具Ａ（１）及び回転金具Ｂ（２）により三重に折畳んでコンパクトにする。
【符号の説明】
【０００８】１  格子状枠体
２  回転金具Ａ
３  回転金具Ｂ
４  足部
５  立入防止チェーン
６  防止柵位置決め金具
７  接続棒
【図１】
0003205231.tif 000003
【図２】
0003205231.tif 000004
【図３】
0003205231.tif 000005
【図４】
0003205231.tif 000006
(57)【要約】      （修正有）【課題】大便のみ又個々回数ごと捕集することにより小さく処理ができ、袋に捕集された汚物は生ゴミとして処分でき、排水処理できる場所では袋の中身ペーパーにくるまれた汚物のみ排水処理することもできる汚物受け処理器具を提供する。【解決手段】中央部に開口部を有し段差を設けたブリッジプレート１と、開口部に挿入された筒状のポット２、３と、ポット内に設けられた袋を備え、ブリッジプレートを便座の座面に設けたことを特徴とする。【選択図】図１
0003205232.tif 000002
【実用新案登録請求の範囲】
【請求項１】
中央部に開口部を有し段差を設けたブリッジプレートと、前記開口部に挿入された筒状のポットと、前記ポット内に設けられた袋を備え、前記ブリッジプレートを便座の座面に設けたことを特徴する汚物受け処理器具。
【請求項２】
ポットは外部ポットと内部ホルダーポットの複数に構成されていることを特徴とする請求項１記載の汚物受け処理器具。
【考案の詳細な説明】
【技術分野】
【０００１】  本考案は従来の簡易トイレが一緒に処理していた小便・大便を分別処理し、大便のみの捕集を簡便にする方法を図った汚物受け処理器具に関する。
【背景技術】
【０００２】  人は毎日およそ小便を２〜５回程、大便ｗ１〜２回程排便する。【０００３】  通常の水洗トイレは小便・大便を一緒に処理してしまう。しかし災害・事故等により断水状態の時は、水洗は使用不可能となり、かろうじて小便のみ使用可能となる。【０００４】  大便のみ処理、保管することにより、生ゴミ・燃えるごみとして扱い処分することができる。【０００５】  災害時等設置の移動簡易トイレは小便・大便を一緒に貯留するため、特に量の多い小便のために、満杯になりやすく、バキュームカーでの回収も頻繁となる。また、大・小便一緒の貯留により水分が多いためゴミ処理場での処分も容易ではない。【０００６】  簡易トイレは小便・大便を一緒に処理するものもあれば、分別して容器を設けるものもある。（例えば、特許文献１参照。）
【先行技術文献】
【特許文献】
【０００７】
【特許文献１】特開２００７−５４５２４
【考案の概要】
【考案が解決しようとする課題】
【０００８】  従来の水洗トイレが断水状態に陥った場合小便の利用は可能だが、大便の利用が出来なくなる。【０００９】  災害時等の移動簡易トイレは利用者の多さにトイレ個数が限られて、大変な混雑と混乱を招く。【００１０】  従来の水洗トイレが災害・事故等により、断水状態であっても小便の利用はもちろん、便器に器具を据え付けることにより大便を流し落とすことなく、大便のみを容易に捕集して、生ごみ・燃えるごみとして処分することができる。【００１１】  災害時等において各戸にて緊急にトイレが使用することができれば、移動簡易トイレの使用頻度が減り、混雑・混乱の解消になる。
【課題を解決するための手段】
【００１２】  上記の目的を達成するために、本考案の汚物受け処理器具は、ブリッジプレートとポット（外部ポットと内部ホルダーポット）で構成されている。【００１３】  汚物受け処理器具の実際の使用時には内部ホルダーポットに袋と排水処理できるペーパーをかぶせて使用する。
【考案の効果】
【００１４】  本考案は従来使用している便器が断水状態であっても利用できるように、小便・大便を完全分別して、小便は従来通り便器内に汚水として流してしまう。【００１５】  便器の便座下後部にブリッジプレートを設置して、ブリッジプレートに外部ポットを設ける。内部ホルダーポットには袋と排水処理できるペーパーをかぶせる。完全分別された大便はペーパーに包含され袋におさまり、尻拭いしたペーパー共に袋におさまった汚物は一般生ごみとして処理をする。【００１６】  袋とペーパーをかぶせる内部ホルダーポットは外部ポットの中に納まるため、内部ホルダーポットは直接汚物が付着することなく清潔である。
【図面の簡単な説明】
【００１７】
【図１】汚物受け処理器具の実施形態を示す概略図。
【図２】汚物受け処理器具の使用形態を示す展開図。
【図３】汚物受け処理器具の使用形態を示す断面図。
【考案を実施するための形態】
【００１８】  以下、本考案の実施の形態を図１〜図３に基ずいて説明する。
【実施例１】
【００１９】  図１において、既存の便器の便座を後方に上げ、便器本体後部にブリッジプレートを載せる。ブリッジプレート中央の丸い開口部に外部ポットを嵌め込み、ポットは外部ポットと内部ホルダーポットから構成され、外部ポットの中には内部ホルダーポットを差し込む。使用時には、内部ホルダーポットに袋を内側に広げその上から排水処理できるペーパーを内側に広げる。
袋とペーパーを設置した状態で内部ホルダーポットを外部ポットの中に差し込む。【００２０】  図２は、汚物受け処理器具の展開図である。【００２１】  図３は、汚物受け処理器具の断面図である。【００２２】  この汚物受け処理器具は汚物捕集後に内部ホルダーポットを取り出し、袋の中にはペーパーにくるまれた汚物が収まっており、袋を取り出して直ちに封をする。
使用その都度処理する内部ホルダーポットは外部ポットの中に納まっており、汚物の付着なく非常に清潔に使用できる。
【産業上の利用可能性】
【００２３】  汚物受け処理器具は大規模災害・事故等による断水状態の時は、水洗トイレは使用不能となり唯一かろうじて小便のみ使用可能となるが、水洗トイレを小便のみの使用でなく大便のみを別途に捕集する処理方法により、トイレを従来通り大便・小便ともに使用することができる。
大規模災害・事故時にトイレ難民を出さずに済む。
【符号の説明】
【００２４】  １  ブリッジプレート
２  外部ポット
３  内部ホルダーポット
４  袋
５  排水処理できるペーパー
【図１】
0003205232.tif 000003
【図２】
0003205232.tif 000004
【図３】
0003205232.tif 000005
(57)【要約】      （修正有）【課題】自宅でシリンジ法を安全に行える精液注入器具及びこれに用いるカテーテルを提供する。【解決手段】シリンジ１０と、シリンジ先端に設けられる細長いパイプからなる精液注入用カテーテル２０とから構成される精液注入用具であり、精液注入用カテーテルの太さが５ｍｍ以上２０ｍｍ以下に形成することを特徴とする。精液注入用カテーテルの先端部分は略半球状に形成することが望ましい。【選択図】図１
0003205250.tif 000002
【実用新案登録請求の範囲】
【請求項１】
シリンジと、当該シリンジ先端に設けられる細長いパイプからなる精液注入用カテーテルとから構成される精液注入用具であって、
前記精液注入用カテーテルの太さが５ｍｍ以上２０ｍｍ以下に形成されることを特徴とする精液注入用具。
【請求項２】
前記精液注入用カテーテルの先端が略半球状に形成される請求項１に記載の精液注入用具。
【請求項３】
シリンジ先端に固定される細長いパイプからなる精液注入用カテーテルであって、太さが５ｍｍ以上２０ｍｍ以下に形成される精液注入用カテーテル。
【請求項４】
先端が略半球状に形成される請求項３に記載の精液注入用カテーテル。
【考案の詳細な説明】
【技術分野】
【０００１】
本考案は、精液を膣内に注入するための器具及びこれに用いられるカテーテルに関する。
【背景技術】
【０００２】
男性に膣内射精障害などの問題があるときに、女性の妊娠を実現する一つの方法として人工授精が用いられる。人工授精には図２示すようなカテーテル２００が装着されたシリンジ１００を用いることが広く行われている。図２に示す器具を用いる人工授精では、膣外で射精された精液（場合により濃縮を行ったもの）をシリンジ１００内に収め、カテーテル２００先端を子宮内に挿入してシリンジ１００を圧縮することで子宮内に精液を注入する方法が採られる。
また、より簡易な人工授精方法としてシリンジ法も行われている。シリンジ法は、シリンジに膣外で射精された精子を収めて、シリンジ先端を膣内に挿入して、膣内に精子を注入する方法である。
【考案の概要】
【考案が解決しようとする課題】
【０００３】
ところで、図２に示すような器具を用いる場合、子宮内に正確かつ安全に挿入するためには医師による操作が不可欠であり、費用がかかるという問題がある。一方で、シリンジ法であれば、医師を介することなく、自宅で行うことが可能であるため安価に行うことができるが、シリンジの先端は細いので、これをそのまま挿入すると膣内を傷つける恐れがあり、カテーテルをシリンジ先端に設ける場合も図２に示すような先端の細いカテーテルを用いるため、やはり膣内を傷つけやすいという問題が生じる。
本考案は、このような問題に鑑みて、自宅でシリンジ法を安全に行える器具及びこれに用いるカテーテルを提供することを課題とする。
【課題を解決するための手段】
【０００４】
上記課題を解決するために、本考案は、次のような構成を有する。
請求項１に記載の考案は、シリンジと、当該シリンジ先端に設けられる細長いパイプからなる精液注入用カテーテルとから構成される精液注入用具であって、前記精液注入用カテーテルの太さが５ｍｍ以上２０ｍｍ以下に形成されることを特徴とするものである。
請求項２に記載の考案は、前記精液注入用具において、前記精液注入用カテーテルの先端が略半球状に形成されるものである。
請求項３に記載の考案は、シリンジ先端に固定される細長いパイプからなる精液注入用カテーテルであって、太さが５ｍｍ以上２０ｍｍ以下に形成されものである。
請求項４に記載の考案は、請求項３に記載の精液注入用カテーテルにおいて、先端が略半球状に形成されるものである。
【考案の効果】
【０００５】
以上のような構成により、本考案は、次のような効果を奏する。
請求項１、３に記載の考案は、膣内に挿入するカテーテルが５ｍｍ以上２０ｍｍ以下に形成されることで、膣内に挿入する最に膣内壁が傷つきにくくなり、自宅でも比較的安全にシリンジ法を行うことができる。
請求項２、４に記載の考案は、カテーテルの先端を略半球状とすることで、膣内壁をカテーテル先端で傷つけることをさらに抑制することができる。
【図面の簡単な説明】
【０００６】
【図１】（ａ）は、実施形態に係る精液注入用具の分解側面図であり、（ｂ）は実施形態に係る精液注入用具の側面図である。
【図２】従来の人工授精に用いる精液注入用具の一例を示す側面図である。
【考案を実施するための形態】
【０００７】
以下、本考案の実施の形態について、図面を参照しながら説明する。
図１（ａ）に本実施形態に係る精液注入用具Ｘを分解した状態の側面図を示し、図１（ｂ）に精液注入用具Ｘの側面図を示す。精液注入用具Ｘはシリンジ１０と、精液注入用カテーテル２０とから構成される。
シリンジ１０は一般的なプラスチック又はガラスで形成されたシリンジである。
精液注入用カテーテル２０は人体に害のないシリコーンゴム等のエラストマーから成るパイプであり、先端部２１は略半球状をなし、長さ６０ｍｍ、太さ７ｍｍに形成されている。また、中央を通る穴はシリンジ１０の先端にややきつく嵌る程度の内径に設定されている。なお、精液注入用カテーテル２０は精液注入用カテーテル２０の大きさは適宜変更することができるが、太さは５ｍｍ以上２０ｍｍ以下が望ましく、長さは３０ｍｍ以上１００ｍｍ以下が望ましい。
【０００８】
次に、以上のような構成を有する精液注入用具Ｘの使用方法について説明する。まず、男性が適当な大きさの容器内に射精する。次に、精液注入用具Ｘのシリンジ１０のピストンを圧縮した状態で精液注入用カテーテル２０先端を当該容器内に入れ、ピストンを引き上げることでシリンジ１０内に射精された精液を吸引させる。十分に精液がシリンジ１０内に吸引できたら、精液注入用カテーテル２０の先端を女性の膣内に挿入し、ゆっくりとシリンジ１０のピストンを押し入れることで精液を膣内へと注入する。精液の注入が終わったら、精液注入用カテーテル２０を膣内から抜き取り作業が完了する。
本実施形態に係る精液注入用具Ｘは精液注入用カテーテル２０が適当な太さに設定され、さらに先端が半球状に形成されていることで、膣内に挿入する際に膣壁を傷つけることなくスムーズに挿入することができ、自宅でより安全にシリンジ法を実施することが可能となる。
【符号の説明】
【０００９】
Ｘ  精液注入用具
１０  シリンジ
２０  精液注入用カテーテル
【図１】
0003205250.tif 000003
【図２】
0003205250.tif 000004
(57)【要約】【課題】信号情報欠損が無く、微小信号情報への影響を最小限に出来、磁気歪をも無い高品質の音色の真空管アンプを提供する【解決手段】直結回路と差動回路とOTL回路を併せ持ち内蔵する構成を特徴とするアンプ【選択図】図１
0003205209.tif 000002
【実用新案登録請求の範囲】
【請求項１】
直結回路と差動回路とOTL回路を併せ持ち内蔵する構成が特徴の真空管アンプ
【考案の詳細な説明】
【技術分野】
【０００１】
真空管アンプに関するものである
【背景技術】
【０００２】
高品質の音色を実現する為に、信号情報欠損が発生するカップリングコンデンサを廃した直結アンプや電源品質やノイズの同相条件の影響を無くし伝送能力が優れている為に微小信号情報への影響を最小限に出来る差動アンプやアウトプットトランスを無くす事により磁気歪が無いOTLアンプは、それぞれ広く公知、評価され普及している。
【０００３】
しかし、この３種の特徴を併せ持つアンプは実現していない
【考案の概要】
【考案が解決しようとする課題】
【０００４】
カップリングコンデンサの使用材料や品質で音色の相違が大きく、信号情報欠損が発生し、電源電圧変動やノイズの影響に弱く、特に音量を小さくした時の微小信号情報の欠落が有り、その上アウトプットトランスで磁気歪などの影響がある
【課題を解決するための手段】
【０００５】
音色に影響の有る物を廃するか、影響を最小限にする必要が有る。カップリングコンデンサ、アウトプットトランスを廃し、伝送経路の影響を最小限いする為に直結回路と差動回路、OTL回路を併せ持つ構成とする。まず、多段増幅回路は対地電圧が相違する接続点（５）（６）（７）（８）の個所の、本来配置するカップリングコンデンサを廃する為にSEPP回路の各電圧増幅段のプレート電圧と出力段のグリッド電圧（１）と（１４）、（２）と（１５）、（３）と（１６）、（４）と（１７）をそれぞれ同電圧にする必要がある。出力段のかさ上げ電源（９）を増設し、電圧を合致させ電圧増幅段と出力段の接続にカップリングコンデンサを廃する事により（５）（６）（７）（８）の個所で直結を成し、２台のアンプでのBTL回路を採用し差動回路を構成しながらSEPP回路に依ってアウトプットトランスをも使用しない構成とする。直結回路を併せ持つ回路の為にSEPP回路の各出力管の各グリッドの対地電圧は相違するが信号レベルを合致させなければいけない問題が発生するがコンデンサC1（１０）、C2（１１）、C3（１２）、C4（１３）を配置し、解決する
【考案の効果】
【０００６】
直結回路の特徴にて信号情報欠損が無く、差動回路の特徴に依り微小信号情報への影響も最小限に出来、OTL回路の特徴にて磁気歪をも無い高品質の音色の真空管アンプを提供出来る
【図面の簡単な説明】
【０００７】
【図１】電圧増幅段プレート電圧が抵抗分圧式の差動直結OTL回路である
【図２】電圧増幅段プレート電圧が定電圧ダイオード分圧式の差動直結OTL回路である
【図３】電圧増幅段プレート電圧が定電流ダイオード異電流式の差動直結OTL回路である
【考案を実施するための形態】
【０００８】
差動OTLの１種であるBTL回路に嵩上げ電源を増設し、電圧増幅段と出力段の信号受け渡し方法を直結とする
【符号の説明】
【０００９】
１  電圧増幅段（∨１１）のプレート電圧    
２  電圧増幅段（∨１２）のプレート電圧
３  電圧増幅段（∨２１）のプレート電圧
４  電圧増幅段（∨２２）のプレート電圧
５  対地電圧が相違する接続点＿０１
６  対地電圧が相違する接続点＿０２
７  対地電圧が相違する接続点＿０３
８  対地電圧が相違する接続点＿０４
９  出力段のかさ上げ電源
１０  コンデンサ  C1
１１  コンデンサ  C2
１２  コンデンサ  C3
１３  コンデンサ  C4
１４  出力段（∨４２）のグリッド電圧
１５  出力段（∨４１）のグリッド電圧
１６  出力段（∨３１）のグリッド電圧
１７  出力段（∨３２）のグリッド電圧
【図１】
0003205209.tif 000003
【図２】
0003205209.tif 000004
【図３】
0003205209.tif 000005
(57)【要約】      （修正有）【課題】ドリリングバケットを応用し、容易に既存杭を含む地中障害物を撤去できるカットバケットを提供する。【解決手段】場所打ちコンクリート杭からなる地中障害物撤去に用いる、ケーシング内部を掘削する為に、撤去杭径と同径のドリリングバケット相当のカットドラム２の上部に補強板３を係合、また上内部には１２０度傾斜の翼板６を係合し、更に翼板６には翼板切削ビット７を取り付け交換できる工夫をして、取り付けた切削ビットで鉄筋籠を切断する特徴を持つ。また、カットドラム２の下部円周端面９にもドラム切削ビット８を取り付け交換可能とする構造を以って本バケットとする。【効果】工期の圧縮に伴い、施工経費及び安全かつ効率的な地中障害物を撤去することができる。【選択図】図２
0003205279.tif 000002
【実用新案登録請求の範囲】
【請求項１】
ドリリングバケットの形容を基に底蓋を設けず、ドリリングバケットの下部に交換可能な切削ビットを複数取り付け、更には内部にも斜度１２０度の翼板を係合させ、翼板にも複数の交換可能な切削ビットを一定の幅に取り付け回転掘進させることにより、容易に場所打ち杭を含む地中障害物を切削破砕し撤去できるカットバケット
【考案の詳細な説明】
【技術分野】
【０００１】  本考案は、場所打ち杭及びその他の地中障害物撤去工事において効率的に撤去するマルチドリル機による掘削バケットに関する考案である。
【背景技術】
【０００２】  地中障害物を撤去する方法としてはケーシング切削を行い所定の位置まで掘進して、ケーシング内に撤去を対象とする障害物を捕捉し、当該障害物を適宜排出する方法が挙げられる。【０００３】  しかしながら近年では、堅牢な場所打ち杭構造の撤去が、施行期間の長期化や施工の困難など、地中障害物撤去の難易度が増す傾向にある。【０００４】  また、土地の使用履歴や構造物の設計図などの情報入手が困難な施工もあり、施工上の不確定要素を伴う。【０００５】  そして、多くの撤去工事では、施工費圧縮を目途に工期の短縮も要求され、施工現場の不確定要素との狭間にあり、高難度施工の急速性を優先させることを余儀なくされることから、その施工は現代の都市土木としての性能を満たしているとはいえない状況にある。
【先行技術文献】
【特許文献】
【０００６】
【特許文献１】  特開２０１４−１１８８０７公報
【特許文献２】  特開２０１１−０７４７４６公報
【特許文献３】  特開２０１０−１８５１８８（Ｐ２０１０−１８５１８８Ａ）
【非特許文献】
【０００７】
【非特許文献１】  建設の機械化６０７，３９−４２，２０００−０９−２５  日本建設機械化協会
【考案の概要】
【考案が解決しようとする課題】  従来のドリリングバケットは、多様な地盤に応じて地中障害物を粉砕撤去が可能であるが、既存杭など堅牢な場所打ち杭を撤去する場合には、適しているとは言いがたい。そこで、ドリリングバケットを応用し、容易に既存杭を含む地中障害物を撤去できるカットバケットを提供する。
【課題を解決するための手段】
【０００８】  ドリリングバケットの形容を基に底蓋を設けず、ドリリングバケットの下部に交換可能な切削ビットを複数取り付け、更には内部にも斜度１２０度の翼板を係合させ、翼板にも複数の交換可能な切削ビットを一定の幅に取り付け回転掘進させることにより、容易に場所打ち杭を含む地中障害物を切削破砕し撤去できるカットバケットを提供する。
【考案の効果】
【０００９】  工期の圧縮に伴い、施工経費及び安全かつ効率的な地中障害物を撤去することができる。
【図面の簡単な説明】
【００１０】
【図１】本発明のマルチドリル機における既存杭撤去の概要説明図である。
【図２】本カットバケットの構造説明図である。
【図３】本カットバケットの底面からみた構造説明図である。
【考案を実施するための形態】
【００１１】  以下、本発明のマルチドリル機における掘削バケットを使用し、回転圧入掘進し、既存場所打ち杭の切削・破砕、撤去するための順序展開の説明であるが、本発明の実施形態は下記の実施例に限定するものではない。また、以下の説明における同一の材料、構成及び部位等については同一の符号を省略する場合がある。
【実施例】
【００１２】  図１は本説明のマルチドリル工法の概要説明図で、本発明のカットバケットを利用して杭穴を掘削するものである。
Ａは掘削装置を装備するマルチドリル機である。そのケリーバーＢにはカットバケット１又はスタンドパイプ、図示しない周知のファーストケーシングがケリーバーソケットに装填される。【００１３】  削孔杭芯に定規鉄板をセットし、杭径より一回り大きなスタンドパイプをマルチドリル機を用いて、掘削位置にセットする。【００１４】  崩れ易い表土の崩壊を防ぐことを目的に、スタンドパイプを掘削孔の口元に圧入設置する【００１５】  撤去杭同径のケーシング（先端ビット付）をマルチドリル機のアタッチメント部にセットする。【００１６】  撤去杭の外周をケーシングの先端ビットにより切削しながら回転掘進する。【００１７】  一定の深度で一旦掘削を停止し、ケーシングを引抜き、撤去杭より一回り小さい口径のカットバケット１と交換装填する。【００１８】  ケーシング回転掘削の手順と同様にカットバケット１を回転掘進し、撤去杭の杭頭より一定深度掘進すると撤去杭の主鉄筋が捩じ切れ、カットバケット内で閉塞し、撤去が可能となる。【００１９】  カットバケット内の撤去杭を所定の場所に排出集積後、再度前項の作業を繰り返す。【００２０】  再度、前項００１６乃至前項００１９の作業を撤去杭の杭低まで繰り返す。【００２１】  図２及び図３は、本発明のカットバケット１の構造説明図で、図２はカットバケットの部分断面図である。２はカットドラム、３はドリルパイプ補強版にピン孔５付きのケリーバーソケット４を溶接係合されている。【００２２】  図３はカットバケット１を底面から見た切削ビットの配置説明図で、６は翼板で、補強版３に溶接係合されており、翼板６には翼板切削ビット７の配列の位置間隔は互いに隣接する翼板切削ビットの軌跡とは重複しない配列とし、かつ切削ビットを交換可能に装備される。８は、カットドラムの下部円周端面端面９に翼板切削ビット一定の間隔に交換可能な構造のドラム切削ビットが装備される。
【符号の説明】
【００２３】Ａ    マルチドリル機
Ｂ    ケリーバー
Ｃ    スタンドパイプ
１    カットバケット
２    カットドラム
３    補強版
４    ケリーバーソケット
５    ピン孔
６    翼板
７    翼板切削ビット
８    ドラム切削ビット
９    ドラム下部円周端面
【図１】
0003205279.tif 000003
【図２】
0003205279.tif 000004
【図３】
0003205279.tif 000005
(57)【要約】      （修正有）【課題】足、手の湿疹、特に水分を好む水虫対策に、汗や水分を除去するのと同時に、湿疹になってしまって、薬を塗った後、装着するのに良い使い捨て足、手のカバーを提供する。【解決手段】水虫や湿疹の為の使い捨て足、手のカバーであって、一枚の布または紙で指が出る様にカットされている部分を有し、前記カバーは、吸水性能のある素材または、紙から構成される。これにより、運動の前、サウナ、沐浴の後に装着する事で水分を除去し水虫対策になるのと、薬を塗った後装着する事で靴下や靴に菌を移す事を少なくする事が出来る。【選択図】図１
0003205274.tif 000002
【実用新案登録請求の範囲】
【請求項１】
水虫や湿疹の為の使い捨て足、手のカバーであって、五か所カットされている部分に足や手の指が入る構造を有し、吸湿性能のある素材または、紙から構成されていることを特徴とする水虫や湿疹の為の使い捨て足、手カバー。
【請求項２】
足の指間、手の平や指間に薬を塗った後に装着する為の物である。
【請求項３】
靴や靴下に菌や薬を付かない様にする為の物である。
【考案の詳細な説明】
【技術の分野】
【０００１】本考案は水分を好む水虫対策の為に吸水性のすぐれた素材や紙で出来ている。
【０００２】足や手に薬を塗った後装着、後に使い捨てにする。
【考案の概要】
【考案が解決しようとする課題】
【０００３】汗、お風呂やサウナの後等、湿気を取る事で水虫対策になる。
【考案の効果】
【０００４】装着する事で靴下や靴に水虫菌を移さない。
【考案の実施する為の形態】
【０００５】吸湿性能のある素材または、紙にする。
【図面の簡単な説明】
【０００６】
【図１】五本指が入る様にカットされている図
【図２】足に装着した図
【図３】手に装着した図
【図１】
0003205274.tif 000003
【図２】
0003205274.tif 000004
【図３】
0003205274.tif 000005
【手続補正書】
【提出日】平成28年4月6日(2016.4.6)
【手続補正１】
【補正対象書類名】実用新案登録請求の範囲
【補正対象項目名】全文
【補正方法】変更
【補正の内容】
【実用新案登録請求の範囲】
【請求項１】
水虫や湿疹の為の使い捨て足、手のカバーであって、一枚の布または紙で指が出る様にカットされている部分を有し、前記カバーは、吸水性能のある素材または、紙から構成されることを特徴とする水虫や湿疹の為の使い捨て足、手のカバー。
【請求項２】
足の指間、手の平、指間に薬を塗った後に装着する為の物でもあることを特徴とする請求項１に記載の水虫や湿疹の為の使い捨て足、手のカバー。
【請求項３】
靴や靴下に菌や薬を付かない様にする為の物であることを特徴とする請求項１に記載の水虫や湿疹の為の使い捨て足、手のカバー。
(57)【要約】【課題】本考案は、可撓性を有するシート材を袋状に形成し開口部に取り付けた把手に釦等の突起物を有してなり、収納時に把手を巻回し釦等の突起物に掛け止め、形状を保持することが可能な手提げ袋を提供せんとするものである。【解決手段】本考案の手提げ袋は、可撓性を有するシート材を使用し、上部に開口した袋状に形成し、該袋体の開口部左右均等位置に、該シート材を短冊状にして手提げ可能とし得る把手を形成し、下部に釦等の突起物を有してなり、収納時には、把手付け根部分が連続して重なるように袋体全体を折り寄せ巻回する。更に把手を巻回し釦等の突起部分に掛け止め、形状を保持することが出来るようにしたことを特徴とする。【選択図】図２
0003205272.tif 000002
【実用新案登録請求の範囲】
【請求項１】
可撓性を有するシート材を使用し、上部に開口した袋状に形成し、該袋体の開口部左右均等位置に、該シート材を短冊状にして手提げ可能とし得る把手を形成し、下部に釦等の突起物を有してなり、収納時には、把手付け根部分が連続して重なるように袋体全体を折り寄せ巻回する。更に把手を巻回し釦等の突起部分に掛け止め、形状を保持することが可能な手提げ袋。
【請求項２】
縦方向に形成される折れ目線が、奇数本であることを特徴とする請求項１記載の手提げ袋。
【考案の詳細な説明】
【技術分野】
【０００１】      本考案は、可撓性を有するシート材を袋状に形成し開口部に取り付けた把手に釦等の突起物を有してなり、収納時に把手を巻回し釦等の突起物に掛け止め形状を保持することが可能な手提げ袋。
【背景技術】
【０００２】      物品を運搬する際には、手提げ袋を携行する風潮であるが使用時にはすぐに取り出せ、不使用時には小さく纏まる必要性があった。
【考案の概要】
【考案が解決しようとする課題】
【０００３】      本考案は、上述の如く問題点に鑑みてなされたものであり、繰り返し使用が可能であり携行性に優れた手提げ袋を提供せんとするものである。
【課題を解決するための手段】
【０００４】      本考案の手提げ袋は、可撓性を有するシート材を使用し、上部に開口した袋状に形成し、該袋体の開口部左右均等位置に、該シート材を短冊状にして手提げ可能とし得る把手を形成し、下部に釦等の突起物を有してなり、収納時には、把手付け根部分が連続して重なるように袋体全体を折り寄せ巻回する。更に把手を巻回し釦等の突起部分に掛け止め、形状を保持することが出来るようにしたことを特徴とする。【０００５】      更に、縦方向に形成される縦目の折れ目線が、奇数本であることを特徴とする。
【考案の効果】
【０００６】      本考案は、手提げ可能とし得る把手に釦等の突起物を有し、収納時に把手を巻回し突起部分に掛け止め、形状を保持することが容易にできるという効果がある。
【図面の簡単な説明】
【０００７】
【図１】本考案を適用してなる手提げ袋の前面材の表面図である。
【図２】本実地態様の手提げ袋を折り寄せ、把手を巻回し突起部分に掛け止めする手順を示す図である。
【符号の説明】
【０００８】Ａ１    袋状部
Ａ２    把手部
Ｂ１    釦
Ｆ１    折目線
Ｆ２    折目線
Ｆ３    折目線
Ｆ４    折目線
【図１】
0003205272.tif 000003
【図２】
0003205272.tif 000004
【手続補正書】
【提出日】平成28年3月23日(2016.3.23)
【手続補正１】
【補正対象書類名】実用新案登録請求の範囲
【補正対象項目名】全文
【補正方法】変更
【補正の内容】
【実用新案登録請求の範囲】
【請求項１】
可撓性を有するシート材を使用し、上部に開口した袋状に形成し、該袋体の開口部左右均等位置に、該シート材を短冊状にして手提げ可能とし得る把手を形成し、下部に釦等の突起物を有してなり、収納時には、把手付け根部分が連続して重なるように袋体全体を折り寄せ巻回し、更に把手を巻回し前記釦等の突起物に掛け止め、形状を保持することが可能な手提げ袋。
【請求項２】
縦方向に形成される折れ目線が、奇数本であることを特徴とする請求項１記載の手提げ袋。
(57)【要約】      （修正有）【課題】水の再利用により、ダムの建設による過大な投資を解決できる貯水循環式水力発電所を提供する。【解決手段】貯水池１２、発電機２３、第一、第二、第三の貯水槽１８、１９、２０、揚水漕１７、及び圧縮機２１を有する貯水循環式水力発電所であって、貯水池１２から落下した水が発電機２３により発電され、発電後の水が第一の貯水槽１８を経て第二の貯水槽２０に入り、第二の貯水槽２０及び揚水漕１７に圧縮機２１より圧縮空気が送られることで、第二の貯水槽２０から水が揚水漕１７に送られ、揚水槽１７から第三の貯水槽１９に水が揚水され、第三の貯水槽１９に揚水された水が貯水池１２に送られる。【選択図】図１
0003205220.tif 000002
【実用新案登録請求の範囲】
水中循環式水力発電所（揚水漕  改良）
【考案の詳細な説明】
【技術分野】
【０００１】本考案は昭和６２年（１９８７）５月２５日公開された改良形である（特許出願公開  昭６２−１１３８６６）
【背景技術】〈産業上の利用分野〉
水中発電所（貯水循環式水力発電所）に関するものである
〈従来の技術〉
従来の水力発電は落差を利用したものであるが、発電後の水の再利用は発電力が揚水発電力を下回るために効率の結果赤字経営となる。
〈解決すべき問題点〉
水の再利用によりダムの建設による過大な投資を解決出来る
〈発電方法の説明〉
特許出願公開  昭和６２−１１３８６６  参考書類添付参照されたい。
１、揚水方法はダム水車の発転逆回転による発電用水車をポンプとして利用する方法（赤字経営）が実用されているため新規の方法として出願した圧縮空気の利用は拒絶された。
0003205220.tif 000003
利用することにより問題は解決となる。
【図面の簡単な説明】
【図１】送水口より落下した水は水車、発電桟を回して発電、発電後の水は貯水漕１８より弁６を経て貯水漕２０に入る。弁６、弁７を閉じて弁８より圧縮空気を入れる。弁９、弁２、より水は揚水漕１７に入る。弁２を閉じて弁１より。揚水漕１７に圧縮空気を送る。この場合貯水漕２０に送った圧縮空気を揚水漕１７に使ってもよいが足りない分は圧縮桟より弁１を経て揚水漕に入れると弁３より貯水漕１９に弁４を経て揚水出来る。この方法を繰返す。揚水後揚水漕１７に貯った圧縮空気は再利用して使える  揚水漕１７  貯水漕１８  弁１  貯水漕１９  弁２  貯水池１２  弁３  貯水漕２０  弁４  圧縮桟２１  弁５  水車２２  弁６  発電桟２３  弁７  弁８  弁９
【図１】
0003205220.tif 000004
【手続補正書】
【提出日】平成27年7月8日(2015.7.8)
【手続補正１】
【補正対象書類名】実用新案登録請求の範囲
【補正対象項目名】全文
【補正方法】変更
【補正の内容】
【実用新案登録請求の範囲】
【請求項１】
貯水循環式水中水力発電所
地上１００ｍの地点、又はその上高方、及び下低方地点に貯水池を設ける  貯水池より水管の送水口から発電用水を落下させて水車を回転し連結した発電機により発電する水力発電用備品の組合せ設備  発電後の落下水を空気圧縮機により揚水槽を経由して貯水池に水を循環させることによる水力発電所でありこれらの機械設備を筒形の内部に設置して水中に設ける場合と陸上に設ける場合と両用出来るこれらの機械器具を連結した構造を有する  水力発電所
【手続補正書】
【提出日】平成27年9月6日(2015.9.6)
【手続補正１】
【補正対象書類名】実用新案登録請求の範囲
【補正対象項目名】全文
【補正方法】追加
【補正の内容】
【実用新案登録請求の範囲】
【請求項１】
（ａ）〔地上１００ｍを基準落差、とし貯水槽又は貯水池を設ける。１箇所。〕（ｂ）〔……発電用水を落下させて水車を回転し連結した発電機により発電する。水力発電用備品（送電用備品も含む）諸設備を設定する。……（ｃ）〔……今回出願使用する空気圧縮機を含む〕（ｄ）……揚水効率を高めるための空気圧縮機を装備した、貯水循環式水中水力発電所……〕
【手続補正書】
【提出日】平成27年12月6日(2015.12.6)
【手続補正１】
【補正対象書類名】実用新案登録請求の範囲
【補正対象項目名】全文
【補正方法】追加
【補正の内容】
【実用新案登録請求の範囲】
【請求項１】
水力発電の形態は高所より水を落下させて水車を回しその回転力で発電機を用いて発電する方法であります。水を川の水を用いる場合と地上より揚水する場合があり、こゝに出願中の新案は揚水する場合に、従来の方法より圧縮空気を用いる方法が効率が良いので出願しました。
〔物品の形状〕は水力発電所。〔物品の構造〕は出願書に記載、〔物品の組みあわせ〕は〔水力発電所構造と空気圧縮機の組みあわせ〕であります。内容の説明は出願書中記載
【手続補正書】
【提出日】平成28年2月19日(2016.2.19)
【手続補正１】
【補正対象書類名】実用新案登録請求の範囲
【補正対象項目名】全文
【補正方法】変更
【補正の内容】
【実用新案登録請求の範囲】
【請求項１】
水力発電所、貯水池、送水管、水車、発電機、貯水漕、（落下水用）、貯水漕（揚水用１、２、（予備用））、空気圧縮機、揚水漕、の組合せ。発電用水を循環させる貯水循環式水力発電所
【手続補正書】
【提出日】平成28年4月6日(2016.4.6)
【手続補正１】
【補正対象書類名】実用新案登録請求の範囲
【補正対象項目名】全文
【補正方法】変更
【補正の内容】
【実用新案登録請求の範囲】
【請求項１】
貯水池、発電機、第一、第二、第三の貯水槽、揚水漕、及び圧縮機を有する貯水循環式水力発電所であって、
前記貯水池から落下した水が前記発電機により発電され、発電後の水が前記第一の貯水槽を経て前記第二の貯水槽に入り、
前記第二の貯水槽及び前記揚水漕に前記圧縮機より圧縮空気が送られることで、
前記第二の貯水槽から水が前記揚水漕に送られ、前記揚水槽から前記第三の貯水槽に水が揚水され、前記第三の揚水槽に揚水された水が前記貯水池に送られることを特徴とする、貯水循環式水力発電所。
(57)【要約】      （修正有）【課題】液体が乳頭の周辺から分散して流出し、ベビーが噎せる可能性を減らすことができるバイオニック乳頭を提供する。【解決手段】バイオニック乳頭であって、乳頭頭部の弧状面にＩ型の切欠１０が環状に設けられ、且つ切欠が乳頭頭部の径方向に設けられ、切欠の延長線が乳頭頭部の中心に交差する。【選択図】図１
0003205218.tif 000002
【実用新案登録請求の範囲】
【請求項１】
バイオニック乳頭であって、乳頭頭部の弧状面に若干のＩ型の切欠が環状に設けられ、前記切欠が前記乳頭頭部の径方向に設けられ、前記切欠の延長線が前記乳頭頭部の中心に交差することを特徴とするバイオニック乳頭。
【請求項２】
前記切欠が、前記乳頭頭部の中心からずれて環状に設けられることを特徴とする請求項１に記載の乳頭。
【請求項３】
前記切欠が均一に設けられることを特徴とする請求項２に記載の乳頭。
【請求項４】
前記切欠の数が３個以上であることを特徴とする請求項２に記載の乳頭。
【請求項５】
前記切欠の数が３個以上であることを特徴とする請求項３に記載の乳頭。
【請求項６】
前記切欠は自然状態では閉じているが、利用者が乳頭を吸う時に開いていることを特徴とする請求項１〜５の何れか１項に記載の乳頭。
【考案の詳細な説明】
【技術分野】
【０００１】
本考案は、ベビー用品の技術分野に関し、特にバイオニック乳頭に関する。
【背景技術】
【０００２】
現在、市販の乳頭の切欠は何れも円形又は十字状であり、且つ乳頭頭部の中心箇所に位置する。このような従来構造の乳頭では、利用者が吸う時に、液体は中心孔又は切欠を介して喉に直接に衝撃し、噎びを招きやすい。
【考案の概要】
【考案が解決しようとする課題】
【０００３】
本考案は、上記の従来技術における欠陥を解消でき、従来の乳頭のような単一孔による乳汁のダイレクットフローを避け、利用者が噎せる可能性を減らすバイオニック乳頭を提供するものである。
【課題を解決するための手段】
【０００４】
上記技術課題を解決するための本考案に係る技術は、下記の通りである。
【０００５】
乳頭頭部の弧状面に若干のＩ型の切欠が環状に設けられ、前記切欠が乳頭頭部の径方向に設けられ、前記切欠の延長線が乳頭頭部の中心に交差する。
【０００６】
前記切欠が、前記乳頭頭部の中心からずれて環状に設けられる。
【０００７】
前記切欠が均一に設けられる。
【０００８】
前記切欠の数が３個以上である。
【０００９】
前記切欠は、自然状態では閉じているが、利用者が乳頭を吸う時に開いている。
【００１０】
本考案は、従来技術と比べ、下記の有益な効果を有する。
【００１１】
環状の多孔切欠は、母乳乳腺が乳汁を排出する原理を模擬し、多孔が自然に開閉するという乳汁排出孔を採用するものであり、液体が乳頭の周辺から分散して流出し、従来の乳頭における液体のダイレクットフローのようなフィード方式を避け、ベビーが噎せる可能性を減らす。
【図面の簡単な説明】
【００１２】
【図１】本考案に係る乳頭の上面図である。
【図２】本考案に係る乳頭の正面図である。
【図３】本考案に係る乳頭の使用状態図である。
【考案を実施するための形態】
【００１３】
以下、実施例と図面を参照しながら本考案について更に説明する。
【００１４】
実施例１
図１及び図２に示すように、本考案に係る乳頭１の頭部の弧状面にその中心からずれて３個以上の切欠１０が環状に設けられている。切欠１０同士は均一又は非均一に設けられている。切欠１０は自然状態では閉じているが、利用者が乳頭を吸う時に開いている。
【００１５】
図３に示すように、本考案に係る乳頭１は、カバー２に取り付けられた後に、液体容器３に取り付けられる。使用されていないときに、乳頭１の切欠１０が何れも自然に封じることができるため、製品の水漏れを避ける。使用されている状態において、利用者の吸い上げにより吸引力を生じさせ、切欠１０が開ける。容器３内の液体３１が乳頭１の頭部の切欠１０を介して外へ流出する。切欠１０が弧状面に位置するため、液体３１が弧状面方向に沿って分散して流出し、これにより、液体３１が利用者の喉へ直接に衝撃することよる噎びを避ける。また、気体が乳頭気体通過孔１１を通し容器３内へ気圧を補うことによって、容器３内の負圧によって液体３１が流出できないことを防止できる。使用後、材料の弾性力により切欠１０が閉まり、液体３１の流出を防止する。
【００１６】
曹月敏により審査し、鞏涛により編集した『現代乳腺外科学』に「乳管洞が乳頭を中心として放射状に配列される；乳管洞が乳頭の先端箇所において再び細くなり最後に点状として乳頭に開口している」と記載されている（河北科学技術出版社出版、P16；第二節：乳腺の解剖、二：乳腺の組織構造）。本考案では、環状の複数の切欠という設計は、母乳乳腺が乳汁を排出する原理を模擬したものであり、多孔が自然に開閉する乳汁排出孔を採用することによって、液体が乳頭の周辺から分散して流出し、これにより、従来の乳頭が中心から乳汁を排出し、乳汁が直接に衝撃するというフィード方式を避け、ベビーが噎せる可能性を減らす。
【００１７】
本考案の上記実施例は、単に本考案を明瞭に説明するものに過ぎなく、本考案の実施形態に対する限定ではないことが明らかである。当業者にとって、上記説明に基づいて他の異なる形式の変化又は変更を行うことができる。ここでは、全ての実施例を挙げきれない。本考案の技術案から導出した明らかな変化又は変更は何れも本考案の保護範囲に属する。
【符号の説明】
【００１８】
１  乳頭
２  カバー
３  液体容器
１０  切欠
１１  乳頭気体通過孔
３１  液体
【図１】
0003205218.tif 000003
【図２】
0003205218.tif 000004
【図３】
0003205218.tif 000005